(57)【要約】【課題】複数の表示部を備え、複数の表示部で１つの映像を表示させても、表示内容が見易い電子機器を提供する。【解決手段】電子機器１は、第１表示部３０が表面側に配置された第１パネル１０と、第２表示部４０が表面側に配置された第２パネル２０と、第１パネル１０と第２パネル２０とを回動可能に連結する連結部５０と、を備え、第１パネル１０は、第２パネル２０と隣接する第１端部１３を有し、第１表示部３０は、第１端部１３付近で第１パネル１０の裏面側に向かって湾曲し、第２パネル２０は、第１パネル１０と隣接する第２端部２３を有し、第２表示部４０は、第２端部２３付近で第２パネルの裏面側に向かって湾曲していることを特徴とする。【選択図】図１
2015166774.tif 000002
【特許請求の範囲】
【請求項１】
第１表示部が表面側に配置された第１パネルと、
第２表示部が表面側に配置された第２パネルと、
前記第１パネルと前記第２パネルとを回動可能に連結する連結部と、
を備え、
前記第１パネルは、
前記第２パネルと隣接する第１端部を有し、
前記第１表示部は、
前記第１端部付近で前記第１パネルの裏面側に向かって湾曲し、
前記第２パネルは、
前記第１パネルと隣接する第２端部を有し、
前記第２表示部は、
前記第２端部付近で前記第２パネルの裏面側に向かって湾曲していることを特徴とする電子機器。
【請求項２】
前記第１パネルと前記第２パネルとが形成する角度を検出する角度検出部と、
前記第１表示部と前記第２表示部とを制御する制御部と、
を備え、
前記制御部は、
前記角度検出部が検出した角度に基づいて、
前記第１表示部の表示領域と、
前記第２表示部の表示領域と、
のうちの少なくとも一方を変化させることを特徴とする、
請求項１に記載の電子機器。
【請求項３】
前記制御部は、
前記第１表示部の可視領域と表示領域とを一致させるように、
前記第１表示部の表示領域を変化させ、
前記第２表示部の可視領域と表示領域とを一致させるように、
前記第２表示部の表示領域を変化させることを特徴とする、
請求項２に記載の電子機器。
【請求項４】
前記第１表示部と前記第２表示部とのうちの少なくとも一方は、
有機ＥＬを用いた表示装置であることを特徴とする、
請求項１ないし請求項３のいずれかに記載の電子機器。
【発明の詳細な説明】
【技術分野】
【０００１】
本発明は、電子機器に関し、特に、複数の表示部を備えた電子機器に関する。
【背景技術】
【０００２】
近年、液晶表示装置等の表示部を備えた携帯ゲーム機等の電子機器において、表示の自由度や拡張性を向上するために、複数の表示部を備えた電子機器が実用化されている。このような電子機器としては、特許文献１に係る液晶表示装置（電子機器）等が提案されている。図８は、特許文献１に係る液晶表示装置３００の構成を示す説明図である。
【０００３】
図８に示すように、液晶表示装置３００は、第１の表示部である液晶表示部３０１と、第２の表示部である液晶表示部３０２と、を備えている。液晶表示部３０１と液晶表示部３０２とは、折り畳み可能に連結されている。
【０００４】
そして、液晶表示部３０１の右側を基準に、液晶表示部３０２を手前に折るとすると、液晶表示部３０１の表示画面と液晶表示部３０２の表示画面とが向かい合った状態になる。また、液晶表示部３０１の右側を基準に、液晶表示部３０２を後ろに折るとすると、液晶表示部３０１の表示画面と液晶表示部３０２の表示画面とが表と裏に有る状態になる。
【０００５】
そのため、表示装置１００では、表示画面の数や位置等での自由度が増し、液晶表示装置の利用の幅を拡げることができる。
【先行技術文献】
【特許文献】
【０００６】
【特許文献１】実用新案登録第３０３５１１７号公報
【発明の概要】
【発明が解決しようとする課題】
【０００７】
しかしながら、液晶表示装置３００では、液晶表示部３０１の周囲や液晶表示部３０２の周囲には、映像が表示されない額縁状の部分（以下、額縁部と略称）が形成されている。そのため、液晶表示部３０１と液晶表示部３０２とで一つの映像を表示しようとすると、液晶表示部３０１と液晶表示部３０２との間に額縁部を挟んだ映像となり、映像の一体感を出し難くなる。その結果、表示内容が見難くなるという課題が有った。
【０００８】
本発明は、このような従来技術の実情に鑑みてなされたもので、その目的は、複数の表示部で１つの映像を表示させても、表示内容が見易い電子機器を提供することにある。
【課題を解決するための手段】
【０００９】
この課題を解決するために、請求項１に記載の電子機器は、第１表示部が表面側に配置された第１パネルと、第２表示部が表面側に配置された第２パネルと、前記第１パネルと前記第２パネルとを回動可能に連結する連結部と、を備え、前記第１パネルは、前記第２パネルと隣接する第１端部を有し、前記第１表示部は、前記第１端部付近で前記第１パネルの裏面側に向かって湾曲し、前記第２パネルは、前記第１パネルと隣接する第２端部を有し、前記第２表示部は、前記第２端部付近で前記第２パネルの裏面側に向かって湾曲していることを特徴とする。
【００１０】
この構成の電子機器では、第１パネルは、第２パネルと隣接する第１端部を有し、第１表示部は、第１端部付近で第１パネルの裏面側に向かって湾曲している。また、第２パネルは、第１パネルと隣接する第２端部を有し、第２表示部は、第２端部付近で第２パネルの裏面側に向かって湾曲している。そのため、第１表示部の湾曲部と第２表示部の湾曲部とを隣接させることによって、額縁部のように映像を表示させない部分を挟まないで、第１表示部と第２表示部とに映像を表示させることができる。その結果、第１表示部と第２表示部とで１つの映像を表示させた場合でも、映像の一体感を出し易くなり、表示内容を見易くすることができる。
【００１１】
請求項２に記載の電子機器では、前記第１パネルと前記第２パネルとが形成する角度を検出する角度検出部と、前記第１表示部と前記第２表示部とを制御する制御部と、を備え、前記制御部は、前記角度検出部が検出した角度に基づいて、前記第１表示部の表示領域と、前記第２表示部の表示領域と、のうちの少なくとも一方を変化させることを特徴とする。
【００１２】
この構成の電子機器では、第１パネルと第２パネルとが形成する角度を検出する角度検出部と、第１表示部と第２表示部とを制御する制御部と、を備えている。そして、制御部は、角度検出部が検出した角度に基づいて、第１表示部の表示領域と第２表示部の表示領域とを変化させている。そのため、第１パネルと第２パネルとの回動に伴う第１表示部の可視領域の変化に合わせて、第１表示部の表示領域を変化させることができる。また、第１パネルと第２パネルとの回動に伴う第２表示部の可視領域の変化に合わせて第２表示部の表示領域を変化させることもできる。そして、第１パネルと第２パネルとの回動によって表示内容が見難くなるのを防ぐことができる。その結果、表示内容を更に見易くすることができる。
【００１３】
請求項３に記載の電子機器では、前記制御部は、前記第１表示部の可視領域と表示領域とを一致させるように、前記第１表示部の表示領域を変化させ、前記第２表示部の可視領域と表示領域とを一致させるように、前記第２表示部の表示領域を変化させることを特徴とする。
【００１４】
この構成の電子機器では、制御部は、第１表示部の可視領域と表示領域とを一致させるように、第１表示部の表示領域を変化させている。そのため、第１表示部の可視領域の変化によって、第１表示部に表示させた映像の一部が見えなくなったり、映像を表示させない非表示領域が見えたりするのを防ぐことができる。また、制御部は、第２表示部の可視領域と表示領域とを一致させるように、第２表示部の表示領域を変化させている。そのため、第２表示部の可視領域の変化によって、第２表示部に表示させた映像の一部が見えなくなったり、映像を表示させない非表示領域が見えたりするのを防ぐことができる。その結果、表示内容を更に見易くすることができる。
【００１５】
請求項４に記載の電子機器では、前記第１表示部と前記第２表示部とのうちの少なくとも一方は、有機ＥＬを用いた表示装置であることを特徴とする。
【００１６】
この構成の電子機器では、第１表示部と第２表示部とのうちの少なくとも一方は、有機ＥＬを用いた表示装置である。有機ＥＬを用いた表示装置は、薄型化し易く、湾曲させ易い。そのため、有機ＥＬを用いた表示装置は、第１表示部や第２表示部のように、一部が湾曲した形状の表示装置に適している。
【発明の効果】
【００１７】
本発明によれば、複数の表示部で１つの映像を表示させても、表示内容が見易い電子機器を提供することができる。
【図面の簡単な説明】
【００１８】
【図１】本発明の第１実施形態に係る電子機器１の構成を示す第１の説明図である。
【図２】本発明の第１実施形態に係る電子機器１の構成を示す第２の説明図である。
【図３】本発明の第１実施形態に係る電子機器１の回動動作を示す説明図である。
【図４】本発明の第１実施形態に係る表示領域の制御方法を示す第１の説明図である。
【図５】本発明の第１実施形態に係る表示領域の制御方法を示す第２の説明図である。
【図６】本発明の第２実施形態に係る電子機器１０１の回動動作を示す説明図である。
【図７】本発明の第３実施形態に係る電子機器２０１の回動動作を示す説明図である。
【図８】特許文献１に係る液晶表示装置３００の構成を示す説明図である。
【発明を実施するための形態】
【００１９】
［第１実施形態］
以下、本発明の第１実施形態について図面を参照しながら説明する。尚、各図において、Ｘ１方向を左方向、Ｘ２方向を右方向、Ｙ１方向を前方、Ｙ２方向を後方、Ｚ１方向を上方、Ｚ２方向を下方として、説明を進める。
【００２０】
まず、本発明の第１実施形態に係る電子機器１の構成について、図１ないし図３を用いて説明する。図１は、本発明の第１実施形態に係る電子機器１の構成を示す第１の説明図である。図１は、電子機器１を側面から見た場合の模式図である。図２は、本発明の第１実施形態に係る電子機器１の構成を示す第２の説明図である。図２（ａ）は、電子機器１を正面から見た場合の模式図であり、図２（ｂ）は、電子機器１を上から見た場合の模式図である。図３は、本発明の第１実施形態に係る電子機器１の回動動作を示す説明図である。図３（ａ）は、図２（ａ）のＡ１−Ａ１断面に対応した模式図であり、図２（ｂ）は、第２パネル２０の回動動作を示す模式図である。尚、図３では、説明を判り易くするために、連結部５０と角度検出部６０と制御部７０とを省略している。
【００２１】
本発明の第１実施形態に係る電子機器１は、携帯ゲーム機等に使用される電子機器である。電子機器１は、図１に示すように、第１パネル１０と第２パネル２０と第１表示部３０と第２表示部４０と連結部５０と角度検出部６０と制御部７０とを備えている。
【００２２】
第１パネル１０は、図１及び図２に示すように、略直方体の外形をした板状の部材であり、表面１１と裏面１２とを有している。図１では、第１パネル１０の上面が表面１１となり、下面が裏面１２となっている。また、第１パネル１０の後端部は第１端部１３となっている。第１パネル１０の表面１１の第１端部１３付近は、図３に示すように、裏面１２側に向かって円弧状に湾曲している。また、第１パネル１０の表面１１の外周部は第１額縁部１４となっている。
【００２３】
第２パネル２０は、図１及び図２に示すように、略直方体の外形をした板状の部材であり、表面２１と裏面２２とを有している。図１では、第２パネル２０の前面が表面２１となり、背面が裏面２２となっている。また、第２パネル２０の下端部は第２端部２３となっている。第２パネル２０の表面２１の第２端部付近は、図３に示すように、裏面２２側に向かって円弧状に湾曲している。また、第２パネル２０の外周部は第２額縁部２４となっている。
【００２４】
第１表示部３０は、有機ＥＬを用いた表示装置である。有機ＥＬを用いた表示装置の構造は公知なので、詳細な説明は省略するが、薄い合成樹脂製のフィルム上に発光素子を配置させることができるため、薄型化し易く、表示部分を湾曲させ易い特性を有している。
【００２５】
第１表示部３０は、図１及び図２に示すように、第１パネル１０の表面１１側の、第１額縁部１４の内側に配置されている。また、第１表示部３０は、第１パネル１０の表面１１に沿って配置されており、第１表示部３０の後端部付近は、第１パネル１０の裏面１２側に向かって円弧状に湾曲している。以下、第１表示部３０の後端部付近の円弧状に湾曲した部分を第１湾曲部３１と略称する。図示しないが、第１パネル１０の第１額縁部１４の裏側には、第１表示部３０を駆動するための駆動回路や引き回し配線等が配置されている。
【００２６】
第２表示部４０も、有機ＥＬを用いた表示装置である。第２表示部４０は、図１及び図２に示すように、第２パネル２０の表面２１側の、第２額縁部２４の内側に配置されている。また、第２表示部４０は、第２パネル２０の表面２１に沿って配置されており、第２表示部４０の下端部付近は、第２パネル２０の裏面２２側に向かって円弧状に湾曲している。以下、第２表示部４０の下端部付近の円弧状に湾曲した部分を第２湾曲部４１と略称する。図示しないが、第２パネル２０の第２額縁部２４の裏側には、第２表示部４０を駆動するための駆動回路や引き回し配線等が配置されている。
【００２７】
連結部５０は、図１及び図２に示すように、第１パネル１０の第１端部１３と第２パネル２０の第２端部２３とが隣接するように、第１パネル１０と第２パネル２０とを連結している。このように第１パネル１０と第２パネル２０とを連結することによって、第１表示部３０の第１湾曲部３１と第２表示部４０の第２湾曲部４１とも隣接するようになる。
【００２８】
また、連結部５０は、図示しない回動機構を有しており、第１パネル１０と第２パネル２０とを回動可能に連結している。本実施形態では、図２及び図３に示すように、第１パネル１０の第１端部１３付近に設定された仮想点Ｐ１を通り左右方向に延びる仮想線Ｌ１を中心に、第１パネル１０と第２パネル２０とが閉じる方向又は開く方向に、第２パネル２０が回動するようになっている。尚、このような２つの部材を回動可能に連結する方法は公知なので、回動機構の詳細な説明は省略する。
【００２９】
角度検出部６０は、回動動作に対応して抵抗値等の電気特性が変化する角度センサである。角度検出部６０は、図１に示すように、連結部５０付近に配置されている。そして、角度検出部６０は、第１パネル１０の表面１１の平面部分と第２パネル２０の表面２１の平面部分とが形成する角度を、第１パネル１０と第２パネル２０とが形成する角度θとして検出している。角度θは、第１パネル１０と第２パネル２０との回動に伴って変化する。
【００３０】
制御部７０は、ＣＰＵ等の制御用の半導体を有する電子回路である。制御部７０は、図１に示すように、第１パネル１０に内蔵されている。制御部７０は、図示しない配線を介して、第１表示部３０の駆動回路と第２表示部４０の駆動回路とに接続されている。そして、制御部７０は、第１表示部３０と第２表示部４０とを制御し、第１表示部３０の表面の所定の領域と第２表示部４０の表面の所定の領域とに映像を表示させている。以下、第１表示部３０の表面の映像を表示させる領域を第１表示領域と略称し、映像を表示させない領域を非表示領域と略称する。また、第２表示部４０の表面の映像を表示させる領域を第２表示領域と略称し、映像を表示させない領域を非表示領域と略称する。
【００３１】
また、制御部７０は、図示しない配線を介して、角度検出部６０に接続されている。そして、制御部７０は、角度θに関する情報を角度検出部６０から入手している。そして、制御部７０は、角度検出部６０が検出した角度θに基づいて、第１表示部３０の第１表示領域と第２表示部４０の第２表示領域とを変化させている。
【００３２】
次に、電子機器１の回動動作に伴う表示領域の制御方法について説明する。まず、第１パネル１０と第２パネル２０とが閉じる方向に第２パネル２０が回動した場合の表示領域の制御方法について、図４を用いて説明する。図４は、本発明の第１実施形態に係る表示領域の制御方法を示す第１の説明図である。図４（ａ）は、第１パネル１０と第２パネル２０とが閉じる方向に第２パネル２０が回動した場合の、第２パネル２０の動作を示す模式図である。図４（ｂ）は、前方斜め上方向から第１表示部３０と第２表示部４０とを見た場合の模式図である。図４（ｂ）の左側は、第２パネル２０が回動しても第１表示領域と第２表示領域とを変化させない場合を示し、図４（ｂ）の右側は、第２パネル２０の回動に対応して第１表示領域と第２表示領域とを変化させた場合を示している。
【００３３】
図４に示すように、第１パネル１０と第２パネル２０とが閉じる方向に第２パネル２０が回動した場合、角度θは小さくなる。そして、このような角度θの変化によって、第１表示部３０の視認可能な領域が変化し、第１表示部３０の第１湾曲部３１付近がユーザから見え難くなる。以下、第１表示部３０の視認可能な領域を、第１可視領域と略称する。
【００３４】
このような第１可視領域の変化に対して、第１表示部３０の第１表示領域を変化させなければ、第１表示部３０に表示させた表示内容の一部が見えなくなり、表示内容を認識し難くなる可能性が有った。図４（ｂ）の左側に示す例では、第１可視領域の変化に対して、第１表示部３０の第１表示領域を変化させていないので、第１表示領域に表示させる文字のうち、第１湾曲部３１付近に表示させた文字が見え難くなっている。それに対して、本実施形態では、制御部７０が、第１可視領域と第１表示領域とを一致させるように第１表示領域を変化させている。そして、図４（ｂ）の右側に示す例では、第１表示領域の変化に合わせて第１表示領域に表示させる文字の位置を移動させ、第１表示部３０に表示させた表示内容の一部が見えなくなるのを防いでいる。
【００３５】
また、第１パネル１０と第２パネル２０とが閉じる方向に第２パネル２０が回動した場合、前述した角度θの変化によって、第２表示部４０の視認可能な領域も変化し、第２表示部４０の第２湾曲部４１付近がユーザから見え難くなる。以下、第２表示部４０の視認可能な領域を、第２可視領域と略称する。
【００３６】
このような第２可視領域の変化に対して、第２表示部４０の第２表示領域を変化させなければ、第２表示部４０に表示させた表示内容の一部が見えなくなり、表示内容を認識し難くなる可能性が有った。図４（ｂ）の左側に示す例では、第２可視領域の変化に対して、第２表示部４０の第２表示領域を変化させていないので、第２表示領域に表示させる文字のうち、第２湾曲部４１付近に表示させた文字が見え難くなっている。それに対して、本実施形態では、制御部７０が、第２可視領域と第２表示領域とを一致させるように第２表示領域を変化させている。そして、図４（ｂ）の右側に示す例では、第２表示領域の変化に合わせて第２表示領域に表示させる文字の位置を移動させ、第２表示部４０に表示させた表示内容の一部が見えなくなるのを防いでいる。
【００３７】
次に、第１パネル１０と第２パネル２０とが開く方向に第２パネル２０が回動した場合の表示領域の制御方法について、図５を用いて説明する。図５は、本発明の第１実施形態に係る表示領域の制御方法を示す第２の説明図である。図５（ａ）は、第１パネル１０と第２パネル２０とが開く方向に第２パネル２０が回動した場合の、第２パネル２０の動作を示す模式図である。図５（ｂ）は、上方から第１表示部３０と第２表示部４０とを見た場合の模式図である。図５（ｂ）の左側は、第２パネル２０が回動しても第１表示領域と第２表示領域とを変化させない場合を示し、図５（ｂ）の右側は、第２パネル２０の回動に対応して第１表示領域と第２表示領域とを変化させた場合を示している。
【００３８】
図５に示すように、第１パネル１０と第２パネル２０とが開く方向に第２パネル２０が回動した場合、角度θは大きくなる。そして、このような角度θの変化によって第１可視領域が変化し、第１表示部３０の第１湾曲部３１付近がユーザから見え易くなる。
【００３９】
このような第１可視領域の変化に対して、第１表示部３０の第１表示領域を変化させなければ、第１表示部３０の非表示領域まで見えるようになる。そして、第１表示部３０と第２表示部４０とで一体的な映像を表示させる場合に、第１表示領域と第２表示領域との間に非表示領域を挟んで表示させることになり、映像の一体感を出し難くなる可能性が有った。それに対して、本実施形態では、第１可視領域と第１表示領域とを一致させるように第１表示領域を変化させている。そして、図５（ｂ）の右側に示す例では、第１表示領域の変化に合わせて第１表示領域に表示させる文字の位置を移動させ、第１表示部３０の非表示領域が見えるようになるのを防いでいる。
【００４０】
また、第１パネル１０と第２パネル２０とが開く方向に第２パネル２０が回動した場合、前述した角度θの変化によって第２可視領域が変化し、第２表示部４０の第２湾曲部４１付近がユーザから見え易くなる。
【００４１】
このような第２可視領域の変化に対して、第２表示部４０の第１表示領域を変化させなければ、第２表示部４０の非表示領域まで見えるようになる。そして、第１表示部３０と第２表示部４０とで一体的な映像を表示させる場合に、第１表示領域と第２表示領域との間に非表示領域を挟んで表示させることになり、映像の一体感を出し難くなる可能性が有った。それに対して、本実施形態では、第２可視領域と第３表示領域とを一致させるように第２表示領域を変化させている。そして、図５（ｂ）の右側に示す例では、第２表示領域の変化に合わせて第２表示領域に表示させる文字の位置を移動させ、第２表示部４０の非表示領域が見えるようになるのを防いでいる。
【００４２】
次に、本実施形態の効果について説明する。本実施形態の電子機器１では、第１パネル１０は、第２パネル２０と隣接する第１端部１３を有し、第１表示部３０の第１湾曲部３１は、第１端部１３付近で第１パネル１０の裏面１２側に向かって湾曲している。また、第２パネル２０は、第１パネル１０と隣接する第２端部２３を有し、第２表示部４０の第２湾曲部４１は、第２端部２３付近で第２パネル２０の裏面２２側に向かって湾曲している。そのため、第１表示部３０の第１湾曲部３１と第２表示部４０の第２湾曲部４１とを隣接させることによって、第１額縁部１４や第２額縁部２４のように映像を表示させない部分を挟まないで、第１表示部３０と第２表示部４０とに映像を表示させることができる。その結果、第１表示部３０と第２表示部４０とで１つの映像を表示させた場合でも、映像の一体感を出し易くなり、表示内容を見易くすることができる。
【００４３】
また、本実施形態の電子機器１では、第１パネル１０と第２パネル２０とを閉じる方向又は開く方向に回動させると、角度θの変化によって第１表示部３０の第１可視領域が変化する。このような第１可視領域の変化に対して、第１表示部３０の第１表示領域を変化させなければ、表示内容が見難くなる可能性が有った。また、角度θの変化によって第２表示部４０の第２可視領域も変化する。このような第２可視領域の変化に対して、第２表示部４０の第２表示領域を変化させなければ、表示内容が見難くなる可能性が有った。
【００４４】
それに対して、本実施形態の電子機器１では、角度θを検出する角度検出部６０と、第１表示部３０と第２表示部４０とを制御する制御部７０と、を備えている。そして、制御部７０は、角度検出部６０が検出した角度θに基づいて、第１表示部３０の第１表示領域と第２表示部４０の第２表示領域とを変化させている。そのため、第２パネル２０の回動に伴う第１可視領域の変化に合わせて第１表示領域を変化させることができる。また、第２パネル２０の回動に伴う第２可視領域の変化に合わせて第２表示領域を変化させることもできる。そして、第２パネル２０の回動によって表示内容が見難くなるのを防ぐことができる。その結果、表示内容を更に見易くすることができる。
【００４５】
しかも、本実施形態の電子機器１では、制御部７０は、第１表示部３０の第１可視領域と第１表示領域とを一致させるように、第１表示領域を変化させている。そのため、第１可視領域の変化によって、第１表示部３０に表示させた映像の一部が見えなくなったり、映像を表示させない非表示領域が見えたりするのを防ぐことができる。また、制御部７０は、第２表示部４０の第２可視領域と第２表示領域とを一致させるように、第２表示領域を変化させている。そのため、第２可視領域の変化によって、第２表示部４０に表示させた映像の一部が見えなくなったり、映像を表示させない非表示領域が見えたりするのを防ぐことができる。その結果、表示内容を更に見易くすることができる。
【００４６】
また、この構成の電子機器１では、第１表示部３０と第２表示部４０とは、有機ＥＬを用いた表示装置である。有機ＥＬを用いた表示装置は、前述したように、薄型化し易く、湾曲させ易い。そのため、有機ＥＬを用いた表示装置は、第１表示部３０や第２表示部４０のように、一部が湾曲した形状の表示装置に適している。
【００４７】
［第２実施形態］
以下、本発明の第２実施形態について図面を参照しながら説明する。尚、本実施形態において、前述した第１実施形態と同一の構成である場合、同一符号を付して詳細な説明は省略する。
【００４８】
本発明の第２実施形態に係る電子機器１０１の構成は、第１実施形態に係る電子機器１の構成と同じである。但し、本実施形態では、第２パネル２０の回動構造が第１実施形態と異なる。そこで、第２実施形態に係る電子機器１０１の回動構造について、図６を用いて説明する。図６は、本発明の第２実施形態に係る電子機器１０１の回動動作を示す説明図である。図６（ａ）は、電子機器１０１を正面から見た場合の模式図であり、図６（ｂ）は、図６（ａ）のＡ２−Ａ２断面に対応した模式図である。尚、説明を判り易くするために、図６（ａ）では、角度検出部６０と制御部７０とを省略し、図６（ｂ）では、連結部５０と角度検出部６０と制御部７０とを省略している。
【００４９】
図６に示すように、本実施形態では、第２パネル２０は、第２パネル２０の第２端部２３付近に設定された仮想点Ｐ２を通る仮想線Ｌ２を中心に回動する。このように、第２パネル２０側に回動動作の中心を設定することによって、第２パネル２０の回動範囲をより大きくすることができ、第１パネル１０と第２パネル２０とを折り畳むことも可能となる。そして、このような回動構造であっても、第１実施形態と同様の効果を得ることができる。
【００５０】
尚、このような回動構造では、第２パネル２０の回動に対して、第１表示部３０の第１可視領域が変化しない場合が有る。その場合、角度θの変化に対応して第１表示部３０の第１表示領域を変化させなくても構わない。
【００５１】
［第３実施形態］
以下、本発明の第３実施形態について図面を参照しながら説明する。尚、本実施形態において、前述した第１実施形態と同一の構成である場合、同一符号を付して詳細な説明は省略する。
【００５２】
本発明の第３実施形態に係る電子機器２０１の構成は、第１実施形態に係る電子機器１の構成と同じである。但し、本実施形態では、第２パネル２０の回動動作が第１実施形態と異なる。そこで、第３実施形態に係る電子機器２０１の回動構造について、図７を用いて説明する。図７は、本発明の第３実施形態に係る電子機器２０１の回動動作を示す説明図である。図７（ａ）は、電子機器２０１を正面から見た場合の模式図であり、図７（ｂ）は、図７（ａ）のＡ３−Ａ３断面に対応した模式図である。尚、説明を判り易くするために、図７（ａ）では、角度検出部６０と制御部７０とを省略し、図７（ｂ）では、連結部５０と角度検出部６０と制御部７０とを省略している。
【００５３】
図７に示すように、本実施形態では、第２パネル２０は、第１パネル１０の第１端部１３付近に設定された仮想点Ｐ１を通り左右方向に延びる仮想線Ｌ１を中心に回動する回動動作と、第２パネル２０の第２端部２３付近に設定された仮想点Ｐ２を通り左右方向に延びる仮想線Ｌ２を中心に回動する回動動作と、を組み合わせた回動動作をする。このような複数の回動動作を組み合わせることによって、より複雑な回動動作を実現することができる。そして、このような回動構造であっても、第１実施形態と同様の効果を得ることができる。
【００５４】
以上、本発明の実施形態について説明してきたが、本発明は上記の実施形態に限定されず、本発明の目的の範囲を逸脱しない限りにおいて適宜変更することができる。
【００５５】
例えば、本発明の実施形態において、電子機器１や電子機器１０１や電子機器２０１は、ゲーム機ではなく、携帯情報端末やポータブルＴＶやノートＰＣ等の電子機器であっても構わない。
【００５６】
また、本発明の実施形態において、所定の機能を実現できるのであれば、第１パネル１０や第２パネル２０は、前述した以外の形状であっても構わない。そして、第１パネル１０や第２パネル２０の形状に合わせて、第１表示部３０や第２表示部４０の形状を適宜変更しても構わない。
【００５７】
また、本発明の実施形態において、所定の湾曲形状を実現できるのであれば、第１表示部３０は有機ＥＬを用いた表示装置でなくても構わない。また、所定の湾曲形状を実現できるのであれば、第２表示部４０も有機ＥＬを用いた表示装置でなくても構わない。例えば、第１表示部３０と第２表示部４０とは、電子ペーパと呼ばれる電子機器に使用される非発光型の表示装置等であっても構わない。
【００５８】
また、本発明の実施形態において、連結部５０は、第１パネル１０と一体的に形成されていても構わない。また、連結部５０は、第２パネル２０と一体的に形成されていても構わない。また、連結部５０は、第１パネル１０と一体的に形成された部材と、第２パネル２０と一体的に形成された部材と、を組み合わせて形成されていても構わない。
【００５９】
また、本発明の実施形態において、電子機器１や電子機器１０１や電子機器２０１は、２つの第２パネル２０を備え、一方の第２パネル２０は、第１パネル１０の前端部付近に回動可能に連結され、他方の第２パネル２０は、第１パネル１０の後端部付近に回動可能に連結されていても構わない。
【００６０】
また、本発明の実施形態において、第２パネル２０を回動させるのではなく、第１パネル１０を回動させても構わない。同じ回動支点に対して第１パネル１０と第２パネル２０とのどちらを回動させるかは相対的なものであり、どちらを回動させても同じ効果が得られる。
【００６１】
また、本発明の実施形態において、角度θを検出できるのであれば、角度検出部６０は、前述した以外の装置であっても構わない。例えば、第１パネル１０と第２パネル２０との間で無線信号を送受信させ、受信した無線信号の振幅や位相に基づいて角度θを算出させても構わない。また、第２パネル２０が第１パネル１０側から視認可能な範囲で回動するのであれば、第１パネル１０側にカメラを配置し、カメラが撮影した画像を解析して第２パネル２０の角度θを算出させても構わない。
【００６２】
また、本発明の実施形態において、制御部７０は、第２パネル２０に内蔵されていても構わない。また、制御部７０は、配線等によって第１パネル１０や第２パネル２０と接続された外部機器の制御回路であっても構わない。
【００６３】
また、本発明の実施形態において、制御部７０は、第１表示部３０の第１表示領域の変更に合わせて、第１表示部３０に表示させる文字数を変更しても構わない。また、第１表示部３０に表示させる映像が文字ではなく画像である場合、制御部７０は、第１表示部３０の第１表示領域の変更に合わせて、第１表示部３０に表示させる映像の縦横の比率を変更しても構わない。また、制御部７０は、第２表示部４０の第２表示領域の変更に合わせて、第２表示部４０に表示させる文字数を変更しても構わない。また、第２表示部４０に表示させる映像が文字ではなく画像である場合、制御部７０は、第２表示部４０の第２表示領域の変更に合わせて、第２表示部４０に表示させる映像の縦横の比率を変更しても構わない。
【００６４】
また、本発明の実施形態において、制御部７０は、第１表示部３０の平面部分に表示させる映像の縦横の比率と、第１表示部３０の第１湾曲部３１に表示させる映像の縦横の比率と、を変えて映像を表示させても構わない。また、制御部７０は、第２表示部４０の平面部分に表示させる映像の縦横の比率と、第２表示部４０の第２湾曲部４１に表示させる映像の縦横の比率と、を変えて映像を表示させても構わない。
【符号の説明】
【００６５】
１  電子機器
１０  第１パネル
１１  表面
１２  裏面
１３  第１端部
１４  第１額縁部
２０  第２パネル
２１  表面
２２  裏面
２３  第２端部
２４  第２額縁部
３０  第１表示部
３１  第１湾曲部
４０  第２表示部
４１  第２湾曲部
５０  連結部
６０  角度検出部
７０  制御部
【図１】
2015166774.tif 000003
【図２】
2015166774.tif 000004
【図３】
2015166774.tif 000005
【図４】
2015166774.tif 000006
【図５】
2015166774.tif 000007
【図６】
2015166774.tif 000008
【図７】
2015166774.tif 000009
【図８】
2015166774.tif 000010